(57)【要約】【課題】Ｗｅｂページの表示画面が表示されているときの方向指示操作手段の操作に対して反力や推力を発生させ、ユーザの操作性を高める。【解決手段】車載操作装置１は、サーバ１６からダウンロードされたＷｅｂページの表示画面の画像解析を行ってメインディスプレイ５を複数のグリットに分割し、表示画面をメインディスプレイ５に表示する。ユーザがグリットカーソル（Ｐ参照）を移動させて所望のＵＲＬを選択するためにジョイスティック１０を操作すると、力発生機構１２は、ジョイスティック１０の操作に対して反力や推力を発生させる。【選択図】図１
2008100680.tif 000002
【特許請求の範囲】
【請求項１】
ユーザが方向を指示するために操作する方向指示操作手段と、
前記方向指示操作手段の操作に対して反力や推力などの力を発生可能な力発生手段と、
表示画面を表示手段に表示させる制御手段とを備えた車載操作装置であって、
前記表示画面の構造解析が可能でない場合に、該表示画面の画像を解析する画像解析手段を備え、
前記制御手段は、前記表示手段の表示領域を前記画像解析手段による画像解結果に基づいて複数のグリットに分割し、グリットカーソルを当該分割された複数のグリットのうちいずれかのグリット上に表示させ、前記方向指示操作手段が操作されたときに、前記力発生手段により前記方向指示操作手段の操作に対して反力や推力などの力を発生させ、前記表示手段のグリットカーソルを前記方向指示操作手段の操作に応じて他のいずれかのグリット上に移動させることを特徴とする車載操作装置。
【請求項２】
請求項１に記載した車載操作装置において、前記画像解析手段は、表示画面の画像に対して文字認識を行い、前記制御手段は、前記表示手段の表示領域を前記画像解析手段による文字認識結果に基づいて複数のグリットに分割することを特徴とする車載操作装置。
【請求項３】
請求項１または２に記載した車載操作装置において、前記画像解析手段は、表示画面の画像に対して図形認識を行い、前記制御手段は、前記表示手段の表示領域を前記画像解析手段による図形認識結果に基づいて複数のグリットに分割することを特徴とする車載操作装置。
【請求項４】
請求項１ないし３のいずれかに記載した車載操作装置において、前記画像解析手段は、表示画面の画像に対して色認識を行い、前記制御手段は、前記表示手段の表示領域を前記画像解析手段による色認識結果に基づいて複数のグリットに分割することを特徴とする車載操作装置。
【発明の詳細な説明】
【技術分野】
【０００１】
本発明は、ユーザが方向を指示するための方向指示操作手段と、前記方向指示操作手段の操作に対して反力や推力などの力を発生可能な力発生手段と、表示画面を表示手段に表示させる制御手段とを備えた車載操作装置および当該車載操作装置の操作支援方法に関する。
【背景技術】
【０００２】
従来より、車室内において、ユーザがジョイスティックやトラックボールなどを操作することにより、車載ディスプレイの表示画面上でのボタンを選択可能とした車載操作装置がある。このものによれば、例えば表示画面上で選択可能なボタンがカーソルの上方向に配置されている場合であれば、ジョイスティックを前方向に傾動させたり、トラックボールを前方向に回転させたりし、カーソルを所望のボタン上に移動させることにより、所望のボタンを選択することができ、エアコンの温度を調整したり、オーディオ機器の音量を調整したり、電動ミラーの角度を調節したりするなどの所望の動作を行わせることができる。
【０００３】
ところで、この種の車載操作装置では、ユーザの操作性を高めるために、ジョイスティックやトラックボールの操作に対して反力や推力などの力を発生させ、ジョイスティックやトラックボールを適切な操作方向に案内する構成となっている。すなわち、例えば表示画面上で選択可能なボタンがカーソルの上方向に配置されている場合であれば、ジョイスティックの傾動方向を前方向に案内したり、トラックボールの回転方向を前方向に案内したりするように、反力や推力などの力を発生させ、ユーザに操作感（操作フィーリング）を付与する構成となっている（例えば特許文献１参照）。
【特許文献１】特開２００２−１８９５５６号公報
【発明の開示】
【発明が解決しようとする課題】
【０００４】
ところで、このようにジョイスティックやトラックボールなどの操作に対して反力や推力などの力を発生させる構成は、表示画面の画面構成を示す画面構成データ、つまり、表示画面上でのボタンの位置を示すデータが予め車載操作装置の不揮発性メモリに記憶されているので、予め車載操作装置の不揮発性メモリに記憶されている画面構成データを読出すことにより可能となるものである。
【０００５】
その一方で、近年では、車室内においても、ブラウザを起動させることにより、サーバからインターネットを通じてＷｅｂページをダウンロードさせて車載ディスプレイに表示させたり、各種のアプリケーションソフトを起動させて車載ディスプレイに表示させたりすることが可能となっている。
【０００６】
さて、Ｗｅｂページやアプリケーションソフトの表示画面では、ＵＲＬやボタンが記述されている場合がある。このような事情から、ユーザにおいては、Ｗｅｂページやアプリケーションソフトの表示画面上にＵＲＬやボタンが記述されている場合に、ジョイスティックやトラックボールなどを操作することにより、表示画面上に記述されている所望のＵＲＬや所望のボタンを選択して接続（リンク）することが考えられる。
【０００７】
しかしながら、Ｗｅｂページやアプリケーションソフトの表示画面の画面構成を示す画面構成データは、予め車載操作装置の不揮発性メモリに記憶されているものではないので、Ｗｅｂページやアプリケーションソフトの表示画面上でＵＲＬやボタンが記述されている位置を識別することは困難である。そのため、ジョイスティックやトラックボールなどを操作してＷｅｂページやアプリケーションソフトの表示画面上に記述されている所望のＵＲＬや所望のボタンを選択するときには、ジョイスティックやトラックボールなどの操作に対して反力や推力などの力を発生させることは困難であり、その結果、ユーザの操作性が低下するという問題がある。
【０００８】
本発明は、上記した事情に鑑みてなされたものであり、その目的は、方向指示操作手段を操作してＷｅｂページやアプリケーションソフトの表示画面上に記述されている所望の領域を選択するときに、方向指示操作手段の操作に対して反力や推力などの力を発生させることにより、ユーザに操作感を付与することができ、ユーザの操作性を高めることができる車載操作装置および操作支援方法を提供することにある。
【課題を解決するための手段】
【０００９】
請求項１に記載した車載操作装置によれば、画像解析手段は、表示画面の画像を解析し、制御手段は、表示手段の表示領域を画像解析手段による画像解析結果に基づいて複数のグリットに分割し、グリットカーソルを当該分割された複数のグリットのうちいずれかのグリット上に表示させる。そして、制御手段は、方向指示操作手段が操作されると、力発生手段により方向指示操作手段の操作に対して反力や推力などの力を発生させ、表示手段のグリットカーソルを方向指示操作手段の操作に応じて他のいずれかのグリット上に移動させる。
【００１０】
これにより、ユーザがＷｅｂページやアプリケーションソフトの表示画面上に記述されている例えば所望のＵＲＬや所望のボタンを選択するためにジョイスティックやトラックボールなどの方向指示操作手段を操作すると、表示手段のグリットカーソルが方向指示操作手段の操作に応じて他のいずれかのグリット上に移動されるように構成したので、所望のＵＲＬや所望のボタンが記述されているグリット上にグリットカーソルを移動させることにより、所望のＵＲＬや所望のボタンを選択することができる。
【００１１】
このとき、ユーザが方向指示操作手段を操作する際に、方向指示操作手段の操作に対して反力や推力などの力が発生されるように構成したので、ユーザに操作感を付与することができ、ユーザの操作性を高めることができる。また、ユーザに操作感を付与することにより、ユーザにグリットカーソルの移動量や移動軌跡を知らせることをもでき、ユーザがブラインドタッチ感覚で方向指示操作手段を操作することができる。さらに、表示領域が表示画面の画像解析結果に基づいて複数のグリットに分割されるように構成したので、表示領域をＵＲＬやボタンの配置に応じた最適な形態で複数のグリットに分割することができ、これによっても、ユーザの操作性を高めることができる。
【００１２】
請求項２に記載した車載操作装置によれば、画像解析手段は、表示画面の画像に対して文字認識を行い、制御手段は、表示手段の表示領域を画像解析手段による文字認識結果に基づいて複数のグリットに分割する。これにより、表示画面に文字や文章が記述されている場合に、文字や文章を認識することにより、文字や文章を単位として表示領域を最適な形態で複数のグリットに分割することができ、ユーザが所望の文字や所望の文章を確実に選択することができる。
【００１３】
請求項３に記載した車載操作装置によれば、画像解析手段は、表示画面の画像に対して図形認識を行い、制御手段は、表示手段の表示領域を画像解析手段による図形認識結果に基づいて複数のグリットに分割する。これにより、表示画面に図面が記述されている場合に、図形を認識することにより、図形を単位として表示領域を最適な形態で複数のグリットに分割することができ、ユーザが所望の図形を確実に選択することができる。
【発明を実施するための最良の形態】
【００１４】
以下、本発明の一実施例について、図面を参照して説明する。図１は、車載操作装置の構成を機能ブロック図により示している。車載操作装置１は、ＣＰＵ２（本発明でいう制御手段）と、手動操作機器３と、通信機器４と、メインディスプレイ５（本発明でいう表示手段）と、サブディスプレイ６と、揮発性メモリ７と、不揮発性メモリ８と、画像解析部９（本発明でいう画像解析手段）とを備えて構成されている。
【００１５】
ＣＰＵ２は、マイクロコンピュータを主体として構成されており、制御プログラムを実行して装置全体の動作を制御する。手動操作機器３は、基本的には運転手が運転しながら操作可能となるように車室内の運転席の脇に設置されているもので、図２にも示すように、ジョイスティック１０（本発明でいう方向指示操作手段）が筐体１１から立設した構成となっている。ジョイスティック１０は、下端部の球体部１０ａが３６０度の全ての方向に回転することにより、球体部１０ａを支点として３６０度の全ての方向に傾動可能となっている。手動操作機器３は、ジョイスティック１０が傾動すると、その傾動方向（操作方向）や傾動角度（操作量）を操作検出信号としてＣＰＵ２に出力する。
【００１６】
筐体１１の内部には、例えば複数の小型モータなどの部品が組合わされて構成される力発生機構１２（本発明でいう力発生手段）が配設されている。力発生機構１２は、ＣＰＵ２から力発生信号が手動操作機器３に入力されると、ジョイスティック１０の操作に対して反力や推力などの力を発生させる。また、ジョイスティック１０の上端部には決定ボタン１３が配設されていると共に、筐体１１の上面部には拡大ボタン１４と縮小ボタン１５とが配設されている。手動操作機器３は、これら決定ボタン１３、拡大ボタン１４および縮小ボタン１５のいずれかが操作されると、操作検出信号をＣＰＵ２に出力する。
【００１７】
通信機器４は、サーバ１６からインターネット１７を通じてＷｅｂページをダウンロードするもので、ＣＰＵ２は、ブラウザを起動させることにより、サーバ１６からＷｅｂページをインターネット１７を通じて通信機器４にダウンロードさせ、ダウンロードされたＷｅｂページをメインディスプレイ５やサブディスプレイ６に表示させる。
【００１８】
メインディスプレイ５は、運転席のコックピット付近に設置されているもので、ＣＰＵ２から表示指令信号が入力されると、表示画面を表示領域に表示する。このとき、運転手は、メインディスプレイ５が運転席のコックピット付近に設置されているので、メインディスプレイ５に表示されている表示画面を運転中に目視するためには、目線を移動する必要がある。
【００１９】
サブディスプレイ６は、上記したメインディスプレイ５の表示領域よりも小さい表示領域を有し、例えばハンドルの後方（奥側）のダッシュボード上に設置されているもので、ＣＰＵ２から表示指令信号が入力されると、表示画面を表示領域に表示する。このとき、運転手は、サブディスプレイ６がハンドルの後方のダッシュボード上に設置されているので、サブディスプレイ６に表示されている表示画面を運転中に目視するためには、目線を移動する必要はない。
【００２０】
揮発性メモリ７は、サーバ１６からインターネット１７を通じて通信機器４にダウンロードされたＷｅｂページの画像を記憶する。不揮発性メモリ８は、車載操作装置１のアプリケーションソフトの表示画面の画面構成データを記憶可能に構成されているもので、ＣＰＵ２から読出信号が入力されると、記憶されている画面構成データをＣＰＵ２に出力する。尚、ここでいう車載操作装置１のアプリケーションソフトとは、例えばエアコンの温度を調整したり、オーディオ機器の音量を調整したり、電動ミラーの角度を調節したりするためのものである。
【００２１】
画像解析部９は、ＣＰＵ２から画像解析信号が入力されると、揮発性メモリ７に記憶されているＷｅｂページの画像を解析し、解析した結果を画像解析結果としてＣＰＵ２に出力する。
【００２２】
次に、上記した構成の作用について、図３ないし図８を参照して説明する。尚、ここでは、表示画面をメインディスプレイ５に表示する場合を前提と、
（１）メインディスプレイ５に表示させる表示画面が車載操作装置１のアプリケーションソフトである場合
（２）メインディスプレイ５に表示させる表示画面が車載操作装置１のアプリケーションソフトでない場合
について順次説明する。
【００２３】
（１）メインディスプレイ５に表示させる表示画面が車載操作装置１のアプリケーションソフトである場合
まず、「メインディスプレイ５に表示させる表示画面が車載操作装置１のアプリケーションソフトである場合」を説明する。
【００２４】
ＣＰＵ２は、メインディスプレイ５に表示させる表示画面が車載操作装置１のアプリケーションソフトであるか否かを判定し（ステップＳ１）、メインディスプレイ５に表示させる表示画面が車載操作装置１のアプリケーションソフトであることを検出すると（ステップＳ１にて「ＹＥＳ」）、この場合は、車載操作装置１のアプリケーションソフトの表示画面の画面構成データが不揮発性メモリ８に記憶されているので、読出信号を不揮発性メモリ８に出力し、不揮発性メモリ８から該当する画面構成データを読出す（ステップＳ２）。
【００２５】
そして、ＣＰＵ２は、これ以降、アプリケーションソフトの表示画面をメインディスプレイ５に表示させ、ジョイスティック１０が操作されたことを検出すると、力発生信号を手動操作機器３に出力し、画面構成データに基づいて力発生機構１２によりジョイスティック１０の操作に対して反力や推力を発生させたり、反力や推力を解除したりする（ステップＳ３）。
【００２６】
（２）メインディスプレイ５に表示させる表示画面が車載操作装置１のアプリケーションソフトでない場合
次に、「メインディスプレイ５に表示させる表示画面が車載操作装置１のアプリケーションソフトでない場合」を説明する。
【００２７】
ＣＰＵ２は、サーバ１６からインターネット１７を通じてＷｅｂページの画像が通信機器４にダウンロードされると、ダウンロードされたＷｅｂページの画像を揮発性メモリ７に記憶させる。さて、ＣＰＵ２は、メインディスプレイ５に表示させる表示画面が車載操作装置１のアプリケーションソフトでないことを検出すると（ステップＳ１にて「ＮＯ」）、この場合は、次に説明する処理を行う。
【００２８】
すなわち、ＣＰＵ２は、メインディスプレイ５に表示させる表示画面がブラウザ上で動作するアプリケーションソフトであるか否かを判定する（ステップＳ４）。ここで、ＣＰＵ２は、メインディスプレイ５に表示させる表示画面がブラウザ上で動作するアプリケーションソフトであることを検出すると（ステップＳ４にて「ＹＥＳ」）、ＨＴＭＬのタグを解析して画面情報を作成する（ステップＳ５）。
【００２９】
次いで、ＣＰＵ２は、メインディスプレイ５に表示させる表示画面がＪａｖａ（登録商標）やＦｌａｓｈ（登録商標）などで記述されているアプリケーションソフトであるか否かを判定する（ステップＳ６）。そして、ＣＰＵ２は、メインディスプレイ５に表示させる表示画面がＪａｖａ（登録商標）やＦｌａｓｈ（登録商標）などで記述されているアプリケーションソフトであることを検出すると（ステップＳ６にて「ＹＥＳ」）、アプリケーションソフトの領域の大きさをタグに基づいて解析し、先に作成された画面情報を詳細化する（ステップＳ７）。
【００３０】
次いで、ＣＰＵ２は、ブラウザ上で動作するアプリケーションソフトの構造解析が可能であるか否かを判定する（ステップＳ８）。そして、ＣＰＵ２は、ブラウザ上で動作するアプリケーションソフトの構造解析が可能であることを検出すると（ステップＳ８にて「ＹＥＳ」）、アプリケーションソフトの構造解析を行って先に作成された画面情報を詳細化し（ステップＳ９）、メインディスプレイ５の表示領域を画面情報に基づいて複数のグリットに分割する（ステップＳ１０）。
【００３１】
これに対して、ＣＰＵ２は、ブラウザ上で動作するアプリケーションソフトの構造解析が可能でないことを検出すると（ステップＳ８にて「ＮＯ」）、詳しくは後述する画像認識を行い（ステップＳ１１）、メインディスプレイ５の表示領域を画像認識結果による画面情報に基づいて複数のグリットに分割する（ステップＳ１０）。
【００３２】
また、ＣＰＵ２は、ブラウザ上で動作するアプリケーションソフトでないことを検出する
と（ステップＳ４にて「ＮＯ」）、アプリケーションソフトの構造解析が可能であるか否かを判定する（ステップＳ１２）。そして、ＣＰＵ２は、アプリケーションソフトの構造解析が可能であることを検出すると（ステップＳ１２にて「ＹＥＳ」）、アプリケーションソフトの構造解析を行って画面情報を作成し（ステップＳ１３）、メインディスプレイ５の表示領域を画面情報に基づいて複数のグリットに分割する（ステップＳ１０）。
【００３３】
これに対して、ＣＰＵ２は、アプリケーションソフトの構造解析が可能でないことを検出すると（ステップＳ１２にて「ＮＯ」）、このときも、詳しくは後述する画像認識を行い（ステップＳ１４）、メインディスプレイ５の表示領域を画像認識結果による画面情報に基づいて複数のグリットに分割する（ステップＳ１０）。
【００３４】
次に、ＣＰＵ２が行う画像認識処理について、図５に示すフローチャートを参照して説明する。ＣＰＵ２は、画像認識処理に移行すると、画像解析信号を画像解析部９に出力し、揮発性メモリ７に記憶されているＷｅｂページの画像を解析する。まず、ＣＰＵ２は、画像に文字領域が有るか否かを判定し（ステップＳ４１）、画像に文字領域が有ることを検出すると（ステップＳ４１にて「ＹＥＳ」）、文字認識を行って文字や文章を単位とするグリットを生成する（ステップＳ４２）。
【００３５】
次いで、ＣＰＵ２は、画像に特殊な文字列が有るか否かを判定し（ステップＳ４３）、画像に特殊な文字列が有ることを検出すると（ステップＳ４３にて「ＹＥＳ」）、特殊な文字列を単位とするグリットを生成する（ステップＳ４４）。次いで、ＣＰＵ２は、画像に図形領域が有るか否かを判定し（ステップＳ４５）、画像に図形領域が有ることを検出すると（ステップＳ４５にて「ＹＥＳ」）、図形認識を行って図形を単位とするグリットを生成し（ステップＳ４６）、これに続いて色認識を行ってグリットを修正する（ステップＳ４７）。
【００３６】
これにより、ＣＰＵ２は、図６に示すように、メインディスプレイ５の表示領域を表示画面の文字や図形を単位として複数のグリットに分割することが可能となる。そして、これ以降、ＣＰＵ２は、表示指令信号をメインディスプレイ５に出力し、サーバ１６からダウンロードされたＷｅｂページをメインディスプレイ５に表示させると共に、グリットカーソル（図６中、Ｐ参照）をいずれかのグリット上に表示させる（ステップＳ１５）。具体的に説明すると、ＣＰＵ２は、グリットカーソル（図６中、Ｐ参照）を例えば「速報    ○○さんが記者会見」という文章が記述されているグリット上に表示させる。そして、ＣＰＵ２は、手動操作機器３から操作検出信号が入力されるのを待機する（ステップＳ１６）。
【００３７】
ＣＰＵ２は、ユーザがジョイスティック１０を操作したことにより手動操作機器３から操作検出信号が入力されると（ステップＳ１６にて「ＹＥＳ」）、入力された操作検出信号を解析し（ステップＳ１７）、ジョイスティック１０が操作されたことを検出する（ステップＳ１８にて「ＹＥＳ」）。
【００３８】
このとき、ＣＰＵ２は、ジョイスティック１０が操作されたことを検出したことにより、力発生信号を手動操作機器３に出力し、力発生機構１２によりジョイスティック１０の操作に対して反力や推力を発生させる（ステップＳ１９）。具体的に説明すると、ＣＰＵ２は、ジョイスティック１０の傾動方向が左方向であれば、ジョイスティック１０の左方向への傾動に対して反力や推力を発生させ、また、ジョイスティック１０の傾動方向が後方向であれば、ジョイスティック１０の後方向への傾動に対して反力や推力を発生させる。
【００３９】
次いで、ＣＰＵ２は、表示指令信号をメインディスプレイ５に出力し、グリットカーソルをジョイスティック１０の操作方向に応じて移動させる（ステップＳ２０）。具体的に説明すると、ＣＰＵ２は、ジョイスティック１０の傾動方向が左方向であれば、グリットカーソルを左方向のグリット上に移動させ、また、ジョイスティック１０の傾動方向が後方向であれば、グリットカーソルを後方向のグリット上に移動させる。
【００４０】
そして、ＣＰＵ２は、グリットカーソルを移動させた直後に反力や推力を解除し（ステップＳ２１）、上記したステップＳ１６に戻り、手動操作機器３から操作検出信号が入力されるのを再度待機する。これにより、ユーザは、ジョイスティック１０を操作したときに、反力や推力が発生されたことにより、操作感を感じることができる。
【００４１】
次に、ユーザは、このようにしてグリットカーソルを所望のリンク先（文字や図形）が記述されているグリット上に移動させると、そのグリットカーソルが位置しているグリットを選択グリットとして決定するために、決定ボタン１３の操作を行うことになる。ＣＰＵ２は、ユーザが決定ボタン１３を操作したことにより手動操作機器３から操作検出信号が入力されると（ステップＳ１６にて「ＹＥＳ」）、入力された操作検出信号を解析し（ステップＳ１７）、決定ボタン１３が操作されたことを検出する（ステップＳ２２にて「ＹＥＳ」）。
【００４２】
次いで、ＣＰＵ２は、グリットカーソルが位置しているグリットを選択グリットとして決定可能であるか否かを判定する（ステップＳ２３）。ここで、ＣＰＵ２は、グリットカーソルが位置しているグリットを選択グリットとして決定可能であれば（ステップＳ２３にて「ＹＥＳ」）、グリットカーソルが位置しているグリットを選択グリットとして決定し、選択グリットとして決定されたグリット内に記述されているリンク先に接続する処理を行う（ステップＳ２４）。これにより、ユーザは、これ以降、所望のリンク先のＷｅｂページをダウンロードさせて閲覧することができる。
【００４３】
具体的に説明すると、ユーザは、図６に示すように、グリットカーソルが例えば「速報    ○○さんが記者会見」という文章が記述されているグリット上に位置しているときに、ジョイスティック１０を左方向に操作することにより、図７に示すように、グリットカーソルを「社会」という文字が記述されているグリット上に移動させることができ、これに続いて決定ボタン１３を操作することにより、「社会」に関する内容のＷｅｂページをダウンロードさせて閲覧することができる。
【００４４】
また、ユーザは、図６に示すように、グリットカーソルが例えば「速報    ○○さんが記者会見」という文章が記述されているグリット上に位置しているときに、ジョイスティック１０を後方向に操作することにより、図８に示すように、グリットカーソルを図形（写真画像）が記述されているグリット上に移動させることができ、これに続いて決定ボタン１３を操作することにより、例えば該当する図形を拡大して閲覧することができる。
【００４５】
以上に説明した一連の処理により、ユーザは、サーバ１６からダウンロードされてメインディスプレイ５に表示されたＷｅｂページにリンク先が記述されている場合に、ジョイスティック１０を操作してグリットカーソルを所望のリンク先が記述されているグリット上に移動させることにより、所望のリンク先に接続することができ、所望のＷｅｂページをダウンロードさせて閲覧することができる。このとき、ユーザは、ジョイスティック１０を操作するときに、反力や推力が発生されることにより、操作感を感じることができる。
【００４６】
ところで、ユーザが拡大ボタン１４を操作したときには、ＣＰＵ２は、ユーザが拡大ボタン１４を操作したことにより手動操作機器３から操作検出信号が入力されると（ステップＳ１６にて「ＹＥＳ」）、入力された操作検出信号を解析し（ステップＳ１７）、拡大ボタン１４が操作されたことを検出する（ステップＳ２５にて「ＹＥＳ」）。次いで、ＣＰＵ２は、グリットカーソルが位置しているグリットを拡大可能であるか否かを判定し（ステップＳ２６）、拡大可能であれば（ステップＳ２６にて「ＹＥＳ」）、メインディスプレイ５の表示領域をグリットのサイズを小さくして複数のグリットに再分割し（ステップＳ２７）、グリットカーソルをいずれかのグリット上に表示させ（ステップＳ２８）、上記したステップＳ１６に戻り、手動操作機器３から操作検出信号が入力されるのを再度待機する。
【００４７】
また、ユーザが縮小ボタン１５を操作したときには、ＣＰＵ２は、ユーザが縮小ボタン１５を操作したことにより手動操作機器３から操作検出信号が入力されると（ステップＳ１６にて「ＹＥＳ」）、入力された操作検出信号を解析し（ステップＳ１７）、縮小ボタン１５が操作されたことを検出する（ステップＳ２９にて「ＹＥＳ」）。次いで、ＣＰＵ２は、グリットカーソルが位置しているグリットを縮小可能であるか否かを判定し（ステップＳ３０）、縮小可能であれば（ステップＳ３０にて「ＹＥＳ」）、メインディスプレイ５の表示領域をグリットのサイズを大きくして複数のグリットに再分割し（ステップＳ３１）、グリットカーソルをいずれかのグリット上に表示させ（ステップＳ３２）、上記したステップＳ１６に戻り、手動操作機器３から操作検出信号が入力されるのを再度待機する。
【００４８】
つまり、ＣＰＵ２は、画面情報を階層で管理しており、画面情報を作成可能な階層が下位にあることを条件として、グリットカーソルが位置しているグリットを拡大することになり、これに対して、画面情報を作成可能な階層が上位にあることを条件として、グリットカーソルが位置しているグリットを縮小することになる。
【００４９】
ところで、以上は、表示画面をメインディスプレイ５に表示する場合を前提として説明したものであるが、表示画面をサブディスプレイ６に表示する場合も、これと同様の処理を行うものであり、この場合であれば、運転しながら目線を移動することなく、所望のＵＲＬや所望のボタンを選択することができる。
【００５０】
以上に説明したように本実施例によれば、車載操作装置１において、サーバ１６からダウンロードされたＷｅｂページの表示画面を画像解析し、メインディスプレイ５を複数のグリットに分割してＷｅｂページの表示画面をメインディスプレイ５に表示し、ジョイスティック１０を操作すると、グリットカーソルが移動されるように構成したので、所望のＵＲＬが記述されているグリット上にグリットカーソルを移動させることにより、所望のＵＲＬを選択することができる。
【００５１】
このとき、ユーザがジョイスティック１０を操作する際に、ジョイスティック１０の操作に対して反力や推力などの力が発生されるように構成したので、ユーザに操作感を付与することができ、ユーザの操作性を高めることができる。また、ユーザに操作感を付与することにより、ユーザにグリットカーソルの移動量を知らせることをもできるので、ユーザがブラインドタッチ感覚でジョイスティック１０を操作することができる。さらに、メインディスプレイ５の表示領域が表示画面の画像解析結果に基づいて複数のグリットに分割されるように構成したので、表示領域をＵＲＬやボタンの配置に応じた最適な形態で複数のグリットに分割することができ、これによっても、ユーザの操作性を高めることができる。
【００５２】
本発明は、上記した実施例にのみ限定されるものではなく、以下のように変形または拡張することができる。
【００５３】
方向指示操作手段は、ジョイスティックに限らず、トラックボールなどの他のものであっても良い。
【００５４】
手動操作機器に制御回路（ＣＰＵ）を持たせることにより、ＣＰＵと手動操作機器の制御回路とが連携して力発生機構における反力や推力の発生を制御する構成であっても良い。
【００５５】
グリットの形状は、矩形に限らず、三角形や六角形や円形であっても良い。    ジョイスティックを中心に引戻す力を発生させる場合に適用しても良い。
【００５６】
表示領域を単語単位や文節単位に基づいてグリットに分割する構成であっても良い。また、拡大ボタンや縮小ボタンを操作することにより、文字単位、単語単位、文節単位、文章単位で切替えてグリットに分割する構成であっても良い。
【図面の簡単な説明】
【００５７】
【図１】本発明の一実施例を示す機能ブロック図
【図２】手動操作機器の外観斜視図
【図３】フローチャート
【図４】図３相当図
【図５】図３相当図
【図６】メインディスプレイの表示領域が複数のグリットに分割された一例を示す図
【図７】グリットカーソルが移動された態様の例を示す図
【図８】グリットカーソルが移動された態様の他の例を示す図
【符号の説明】
【００５８】
図面中、１は車載操作装置、２はＣＰＵ（制御手段）、５はメインディスプレイ（表示手段）、９は画像解析部（画像解析手段）、１０はジョイスティック（方向指示操作手段）、１２は力発生機構（力発生手段）である。
【図１】
2008100680.tif 000003
【図２】
2008100680.tif 000004
【図３】
2008100680.tif 000005
【図４】
2008100680.tif 000006
【図５】
2008100680.tif 000007
【図６】
2008100680.tif 000008
【図７】
2008100680.tif 000009
【図８】
2008100680.tif 000010